(57)【要約】【課題】柔軟性を損なうことなく、臭気や環境ホルモン物質の発生もなく、耐塩素水性に優れ、かつ、止水時の水の切れも良い主としてシャワーホースに使用される給水・給湯用ホースを提供する。【解決手段】内面層チューブ２とこの外側を囲う外面層チューブ１からなるホースであって、前記内面層チューブ２はその内層２ａがポリオレフィン系樹脂、外層２ｂがポリオレフィン系エラストマーの２層からなる給水・給湯用ホース。【選択図】図１
2009047268.tif 000002
【特許請求の範囲】
【請求項１】
内面層チューブとこの外側を囲う外面層チューブからなるホースであって、前記内面層チューブはその内層がポリオレフィン系樹脂、外層がポリオレフィン系エラストマーの２層からなることを特徴とする給水・給湯用ホース。
【請求項２】
内面層チュ−ブの内層を形成するポリオレフィン系樹脂が、ポリブテン、架橋ポリエチレン、メタロセン系触媒を用いて製造されたポリエチレンから選ばれたものである請求項１記載の給水・給湯用ホース。
【請求項３】
内面層チュ−ブの内層を形成するポリオレフィン系樹脂の硬度が、Ｄ硬度で４０〜６５度である請求項１又は２記載の給水・給湯用ホース。
【請求項４】
内面層チュ−ブの内層を形成するポリオレフィン系樹脂の厚さが、３００μｍ以下である請求項１乃至３いずれか１記載の給水・給湯用ホース。
【請求項５】
内面層チュ−ブの内層を形成するポリオレフィン系樹脂のビカット軟化温度が、８０℃以上である請求項１乃至４いずれか１記載の給水・給湯用ホース。
【請求項６】
内面層チュ−ブの外層を形成するポリオレフィン系エラストマーが、ポリオレフイン系熱可塑性エラストマーである請求項１乃至５いずれか１記載の給水・給湯用ホース。
【請求項７】
内面層チューブの内層と外層を共押出しすることによって内面層チューブを形成する請求項１乃至６いずれか１記載の給水・給湯用ホース。
【請求項８】
外面層チューブが、金属製又は樹脂製のチュ−ブ、コイル状チュ−ブ、蛇腹状チュ−ブ、編み上げ状チュ−ブである請求項１乃至７いずれか１記載の給水・給湯用ホース。
【発明の詳細な説明】
【技術分野】
【０００１】
本発明は、主として浴室や洗面化粧台のシャワーホースやシンク等に使用される外側を外面層チュ−ブにて覆った給水・給湯用ホースに関するものである。
【背景技術】
【０００２】
従来より、給水・給湯用ホースとして蛇腹状の金属製外面層チューブ内に、弾性変形可能な合成樹脂製の内面層チューブを挿入した、特にシャワーホースとして好適なフレキシブルに富んだ給水給湯用ホースがあるが、この内面層チューブには安価で柔軟性に優れていることから軟質塩化ビニルの単層構造の内面層チューブが使用されている。
【０００３】
しかしながら、このような従来のフレキシブルホースでは、内面層チューブが軟質塩化ビニルで単層構造に成形されるため、樹脂中に添加された可塑剤により表面がベタ付いてくるため、外面層チューブへの組み付け時の作業性が悪かった。又、内面層チューブに加熱された流体が通過すると、可塑剤が浸み出すという欠点も指摘されている。
【０００４】
又、軟質塩化ビニルの安定化助剤として配合されたホスファイト中にフェノールが残存すると共に、該ホスファイトの加水分解でフエノールが生成されるため、水道水を通水すると、水道水中に含まれる塩素や次亜塩素酸が上記フエノールと反応してクロルフエノールやジクロルフェノール等がもたらされ、これが臭気の原因となるという点も問題があった。更に、軟質塩化ビニル製のホースが焼却される際にはダイオキシン等の有害物質を生成する共に、可塑剤に含まれるジオクチルフタレートが残留し環境ホルモンの点で疑いがあるという問題もある。
【０００５】
軟質塩化ビニルの代替樹脂材料として熱可塑性エラストマー単層の内面層チューブを用いる方法もあるが、耐塩素水性を有していないので温水を流すことができなかった。又、これは弾力があるために流水圧によって外面層チューブ内で膨らみ、止水栓を締めた後もかかる膨らんだ内面層チューブが正常の径に戻るまでの分、流水が一気には止まらないという欠点もあった。
【０００６】
内面層チューブにポリブテンや架橋ポリエチレンの単層チューブを使用すると、耐塩素水性には優れるものの材料が硬く、柔軟性に乏しくなってしまうという問題点もある。
【０００７】
このため、かかる内面層チューブを複数層として対処しようとする提案がある（特許文献１）。即ち、内面層チューブをポリエチレンにて内層と外層を構成し、その中間にこのポリエチレンとの相溶性がよいスチレン系エラストマ−を挟み込んでなる構造としたものである。
【０００８】
【特許文献１】特開２００５−３４４７５３号公報
【０００９】
しかしながら、かかる提案のホ−スにも解決しなくてはならない点があり、例えば、ポリエチレンの耐塩素水性は、熱可塑性エラストマ−よりは優れるものの未だ十分でなく、又、一般に軟化温度が低いため、ホ−スに湯を流すと変形癖が付きやすいという指摘がある。更に、スチレン系エラストマ−は、熱可塑性エラストマ−と対比すると柔軟性に劣り、弾力性も少ないため、当該ホ−スを口金具に差し込み、これを加締めた際に十分なシ−ル性と引き抜き性を確保できないという指摘もある。
【発明の開示】
【発明が解決しようとする課題】
【００１０】
本発明は上記のような従来の技術を考慮し、柔軟性を損なうことなく、臭気や環境ホルモン物質の発生もなく、耐塩素水性に優れ、かつ、止水時の水の切れも良い主としてシャワーホースに使用される給水・給湯用ホースを提供するものである。
【課題を解決するための手段】
【００１１】
本発明の要旨は、内面層チューブとこの外側を囲う外面層チューブからなるホースであって、前記内面層チューブはその内層がポリオレフィン系樹脂、外層がポリオレフィン系エラストマーの２層からなる給水・給湯用ホースにかかるものである。
【発明の効果】
【００１２】
本発明によって得られた給水・給湯用ホ−スは、柔軟性が十分あり、臭気や環境ホルモン物資の発生もなく、耐塩素水性に優れ、かつ、止水時の水の切れも良いホースが比較的安価に提供できたものである。
【発明を実施するための最良の形態】
【００１３】
本発明は、上記した構造を備えた給水・給湯用ホ−スであって、内面層チューブはその内層がポリオレフィン系樹脂であり、外層がポリオレフィン系エラストマーの２層からなるものである。特に、ポリオレフィン系樹脂にポリブテン、架橋ポリエチレン或いはメタロセン系触媒を用いて製造されたポリエチレンを使用する（請求項２）と耐塩素水性に優れたホースを提供することが可能となる。かかるポリブテン或いは架橋ポリエチレンは硬度が高いが、Ｄ硬度で４０度以上、特に５５〜６５度の範囲に設定する（請求項３）と、適度の硬さを有して止水時に水の切れが良くなる特徴が発現できることとなった。
【００１４】
ポリオレフィン系樹脂の厚さは３００μｍ以下、特に１００〜２５０μｍが良い（請求項４）。厚くなるとホースの柔軟性が損なわれるとともにホースを曲げた際に金属製の外面層チューブ内で内面層チューブが折れ曲がってしまう。逆に１００μｍ以下では薄すぎて成型することが困難となる。
【００１５】
又、ポリオレフィン系樹脂のビカット軟化温度は８０℃以上が良い（請求項５）。それよりも低いと温水を流した際に内面層チュ−ブが軟化し再び冷えた際にホ−スが曲がったままの形でチュ−ブが硬化してしまい、ホ−スに癖がついて取り回しが困難となる。
【００１６】
ポリオレフィン系熱可塑性エラストマ−（請求項６）はその化学構造からポリブテン樹脂、ポリエチレン樹脂、架橋ポリエチレン樹脂と互いに相溶しやすく、お互いに強い接着性能が得られる。
【００１７】
これら樹脂にて形成される外層と内面層のチュ−ブを共押し出し（請求項７）することにより内層、外層が溶融した状態で接することとなる。即ち、相界面において内層、外層の相溶が効果的に行われる。そのため、接着剤を使用することなく強固な接着が得られ、給湯用としても２層が剥れることなく使用することができることとなったものである。
【００１８】
尚、外面層チューブが、金属製又は樹脂製のチュ−ブ、管、コイル状チュ−ブ、蛇腹状チュ−ブ、編み上げ状チュ−ブが採用可能（請求項８）である。
【実施例】
【００１９】
以下、図面をもって更に詳細に説明する。図１は本発明の給水・給湯用ホ−スの具体例である。１は外面層チュ−ブであり、螺旋状に巻かれた金属管である。２は内面層チュ−ブであり、その厚みは１ｍｍ、内層２ａと外層２ｂとよりなり、これらは共押し出し成形により一体化されて成形されたものである。内層２ａの厚みは２５０μｍである。
【００２０】
（実施例１）
実施例１のホ−スは、内層２ａ（厚み２５０μｍ）はポリブテン（三井石油化学：ビュ−ロンＰ５０５０）、外層２ｂはポリプロピレン系熱可塑性エラストマ−（アドバンスドエラストマ−システムズ：サントプレン２０１−７３）からなる共押出し成形品（厚み１．０ｍｍ）である。
【００２１】
（実施例２）
実施例２のホ−スは、内層２ａ（厚み２５０μｍ）は架橋ポリエチレン（三菱化学：リンクロンＸＨＥ７４０−Ｍ）、外層２ｂはポリプロピレン系熱可塑性エラストマ−（アドバンスドエラストマ−システムズ：サントプレン２０１−７３）からなる共押出し成形品（厚み１．０ｍｍ）である。
【００２２】
（実施例３）
実施例３のホ−スは、内層２ａ（厚み１５０μｍ）はポリエチレン（日本ポリケミカル：カ−ネルＫＦ３７０）、外層２ｂはポリプロピレン系熱可塑性エラストマ−（アドバンスドエラストマ−システムズ：サントプレン８２０１−６０）からなる共押出し成形品（厚み１．０ｍｍ）である。
【００２３】
（各実施例の特徴）
上記の各実施例の特徴を表１に示す。表中、◎：極めて良好、○：良好、△：普通を表示した。
【００２４】
【表１】
2009047268.tif 000003
【００２５】
得られたホ−スは、いずれも柔軟性を損なうことなく、臭気や環境ホルモン物資の発生もなく、耐塩素水性に優れ、かつ、止水時の水の切れも良いホースとなった。
【産業上の利用可能性】
【００２６】
本発明は以上の通りであり、主としてシャワ−用のホ−スとして用いられるが、その用途はこれに限られるものではなく、その利用範囲は広いことは言うまでもない。
【図面の簡単な説明】
【００２７】
【図１】図１は本発明の給水・給湯用ホ−スの具体例である。
【符号の説明】
【００２８】
１‥外面層チュ−ブ、
２‥内面層チュ−ブ、
２ａ‥内層、
２ｂ‥外層。
【図１】
2009047268.tif 000004